(57)【要約】【課題】簡単な構造により使用状況に合わせた位置に電源コンセントを容易に着脱することができ、什器としての導入コストの低減を図ることができる。【解決手段】床面Ｆ上に互いに間隔をあけて立設された一対の側板１２、１２と、一対の側板１２、１２の互いに対向する内面１２ａのそれぞれに着脱可能に掛止される支持ブラケット１３に設けられた棚板支持部１６と、一対の側板１２、１２に設けられた棚板支持部１６、１６間に架設された棚板１１と、前面２３ａに電源コンセント２２が配設され、電源コンセント２２に接続された配線ケーブルを収容可能な中空部を有するコンセントユニット２と、を備え、コンセントユニット２は、棚板支持部１６、１６間に着脱可能に架設された構成の物品載置棚装置を提供する。【選択図】図２
2018166960.tif 000002
【特許請求の範囲】
【請求項１】
床面上に互いに間隔をあけて立設された一対の支持体と、
前記一対の支持体の互いに対向する内面にそれぞれ設けられた棚板支持部と、
前記一対の支持体に設けられた前記棚板支持部間に架設された棚板と、
前面に電源コンセントが配設され、該電源コンセントに接続された配線ケーブルを収容可能な中空部を有するコンセントユニットと、
を備え、
前記コンセントユニットは、前記棚板支持部間に着脱可能に架設されていることを特徴とする物品載置棚装置。
【請求項２】
前記棚板支持部は、
前記支持体の内面から内方に突出された支持片と、
前記支持片の内端部から上方に延設された係止片と、を有し、
前記支持片上における外方部分に、前記棚板から下方に突出された当接部が載置され、
前記支持片上における内方部分に、前記コンセントユニットの端部が載置されていることを特徴とする請求項１に記載の物品載置棚装置。
【請求項３】
前記コンセントユニットの両端部には、前記棚板支持部の前記係止片に係止されるユニット係止部が設けられていることを特徴とする請求項２に記載の物品載置棚装置。
【請求項４】
前記コンセントユニットの上端部は、前記棚板の下面に当接されていることを特徴とする請求項１乃至３のいずれか１項に記載の物品載置棚装置。
【請求項５】
前記棚板の下面に凹部が形成され、
前記凹部に前記コンセントユニットの少なくとも一部が凹入されていることを特徴とする請求項１乃至４のいずれか１項に記載の物品載置棚装置。
【請求項６】
前記支持体の内面に着脱可能に掛止される支持ブラケットが設けられ、
前記支持ブラケットは、前記支持体の前後方向に延びるブラケット本体を有し、
前記棚板支持部は、前記ブラケット本体の内面側に一体的に設けられていることを特徴とする請求項１乃至５のいずれか１項に記載の物品載置棚装置。
【発明の詳細な説明】
【技術分野】
【０００１】
本発明は、オフィスや医療施設、研究施設、教育施設等の執務空間において、電子機器を載置するために使用される電源コンセント付きの物品載置棚装置に関する。
【背景技術】
【０００２】
オフィスや医療施設、研究施設、教育施設等の執務空間においては、多くの電子機器を用いて執務するケースが一般的となっている。また、携帯端末やノートパソコン等の電子機器を一括して載置・保管するために電源コンセント付きの物品載置棚装置を使用するケースも多く見られている。このような物品載置棚装置の構造としては、床面上に互いに間隔をあけて立設された一対の支持体と、これら一対の支持体間に架設された棚板と、を備え、この支持体内に電源コンセントが組み込まれた構造（例えば、特許文献１参照）や、物品載置棚の棚板の前面に電源コンセントが組み込まれた構造（例えば、特許文献２、３参照）が知られている。
【０００３】
これらの構造によれば、棚板上に電子機器を載置した場合においても、載置場所に隣接して配置された電源コンセントから電源を取ることが可能となり、物品載置棚としての使い勝手を良好なものとすることができる。また、配線ケーブルを短くまとめることが可能となるため、執務者や物品が配線ケーブルに接触するリスクを低減することが可能となるうえ、設置状態における体裁も良好になる。
【先行技術文献】
【特許文献】
【０００４】
【特許文献１】特開平０５−２２００１７号公報
【特許文献２】特開平０４−２１９９９７号公報
【特許文献３】実公昭６３−０３１６４８号公報
【発明の概要】
【発明が解決しようとする課題】
【０００５】
しかしながら、上述した従来の電源コンセントが物品載置棚自体に組み込まれた構造の場合には、電子機器への電源供給を必要としない場合であっても電源コンセントが設けられたままの状態になってしまう。そのため、什器としての導入コストが高くなるという問題があった。
また、物品載置棚に電源コンセントを組み込む作業が必要となり、複雑な構造となるうえ、配線作業が煩雑になるという問題もあり、その点で改善の余地があった。
【０００６】
本発明は、上述する問題点に鑑みてなされたもので、簡単な構造により使用状況に合わせた位置に電源コンセントを容易に着脱することができ、什器としての導入コストの低減を図ることができる物品載置棚装置を提供することを目的とする。
【課題を解決するための手段】
【０００７】
上記目的を達成するため、本発明に係る物品載置棚装置は、床面上に互いに間隔をあけて立設された一対の支持体と、前記一対の支持体の互いに対向する内面にそれぞれ設けられた棚板支持部と、前記一対の支持体に設けられた前記棚板支持部間に架設された棚板と、前面に電源コンセントが配設され、該電源コンセントに接続された配線ケーブルを収容可能な中空部を有するコンセントユニットと、を備え、前記コンセントユニットは、前記棚板支持部間に着脱可能に架設されていることを特徴としている。
【０００８】
本発明では、前面に電源コンセントが配設されたコンセントユニットを棚板支持部に対して装着させて配置することができる。この場合、支持体の複数箇所に棚板支持部を設けておくといった簡単な構造により、棚板上に配置する電気機器の使用状況に応じて任意の位置にコンセントユニットを容易に配置することが可能であり、また電源が不要な箇所にはコンセントユニットを取り外しておくことができる。
このように、コンセントユニットを簡単に着脱できる構成となり、従来のように物品載置棚の棚板に予め電源コンセントを組み込んでおく必要がなくなることから、製造時に多数のコンセントの電源コードを配線するといった煩雑な作業が不要となり、コストの低減を図ることができる。
【０００９】
また、本発明に係る物品載置棚装置は、前記棚板支持部は、前記支持体の内面から内方に突出された支持片と、前記支持片の内端部から上方に延設された係止片と、を有し、前記支持片上における外方部分に、前記棚板から下方に突出された当接部が載置され、前記支持片上における内方部分に、前記コンセントユニットの端部が載置されていることが好ましい。
【００１０】
この場合には、棚板支持部の支持片上に棚板の当接部とコンセントユニットの端部の両方を載置させて支持することができる。このように棚板支持部が棚板の支持部とコンセントユニットの支持部を共有化したものとなるので、支持部分の構造を簡単にすることができ、低コストな物品載置棚を実現することができる。そして、支持片上に載置された棚板の当接部とコンセントユニットの端部とは、支持片の内端部の係止片によって支持体の離間方向の移動が規制され、位置がずれたり、落下することがなく、安定した姿勢で支持される。
さらに、このような構成とすることで、棚板の当接部が支持片上の外方部分に配置され、その支持片上の内方部分にコンセントユニットの両端部が載置されるため、棚板がコンセントユニットの上方を覆うように配置させることができる。そのため、コンセントユニットが棚板の下に隠れて目立ちにくい配置となり、意匠性を向上させることができる。
【００１１】
また、本発明に係る物品載置棚装置は、前記コンセントユニットの両端部には、前記棚板支持部の前記係止片に係止されるユニット係止部が設けられていることを特徴としてもよい。
【００１２】
この場合には、コンセントユニットの両端部のユニット係止部を棚板支持部の係止片に係止させることで、コンセントユニットを物品載置棚に対して安定的に支持することができる。
【００１３】
また、本発明に係る物品載置棚装置は、前記コンセントユニットの上端部は、前記棚板の下面に当接されていることが好ましい。
【００１４】
このような物品載置棚装置によれば、コンセントユニットを棚板の下面に対して当接させることで、安定した姿勢により支持することができる。そのため、コンセントユニットの電源コンセントに対して電源プラグを抜き差しする際においても、電源コンセントが振れることを抑えることができ、使用時の安定感を向上させることができる。
【００１５】
また、本発明に係る物品載置棚装置は、前記棚板の下面に凹部が形成され、前記凹部に前記コンセントユニットの少なくとも一部が凹入されていることが好ましい。
【００１６】
この場合には、物品載置棚装置にコンセントユニットを配置した状態で、コンセントユニットの少なくとも一部が棚板の凹部内に収容されてコンパクトに構成されるので、什器としての体裁を良好なものとすることができる。
【００１７】
また、本発明に係る物品載置棚装置は、前記支持体の内面に着脱可能に掛止される支持ブラケットが設けられ、前記支持ブラケットは、前記支持体の前後方向に延びるブラケット本体を有し、前記棚板支持部は、前記ブラケット本体の内面側に一体的に設けられていることを特徴としてもよい。
【００１８】
本発明では、支持体の内面に掛止された支持ブラケットの棚板支持部に棚板およびコンセントユニットを支持させることができる。そのため、支持体の内面に直接、棚板支持部を設ける必要がなくなることから、支持体が簡単な構造となり、製造コストを低減することができる。
【発明の効果】
【００１９】
本発明の物品載置棚装置によれば、簡単な構造により使用状況に合わせた位置に電源コンセントを容易に着脱することができ、什器としての導入コストの低減を図ることができる。
【図面の簡単な説明】
【００２０】
【図１】本発明の実施の形態による物品載置棚装置の全体構成を示す正面図である。
【図２】図１に示す物品載置棚装置の部分斜視図である。
【図３】支持ブラケットにコンセントユニットを取り付ける前の状態を示す斜視図である。
【図４】図２に示すＡ−Ａ線断面図である。
【図５】図４に示すＢ−Ｂ線矢視図であって、支持ブラケットに棚板及びコンセントユニットが支持された部分の要部拡大図である。
【図６】コンセントユニットの構成を示す分解斜視図である。
【図７】コンセントユニットの構成を示す斜視図である。
【図８】コンセントユニットの側面図である。
【発明を実施するための形態】
【００２１】
以下、本発明の実施の形態による物品載置棚装置について、図面に基づいて説明する。
【００２２】
図１に示す本実施の形態による物品載置棚装置１は、複数の棚板１１を有する載置棚本体１０と、これら複数の棚板１１に載置される電気機器４の電源プラグ４１を接続可能な電源コンセント２２を装備したコンセントユニット２と、を備えている。
【００２３】
図２及び図３に示すように、載置棚本体１０は、前記複数の棚板１１、１１、…と、床面Ｆ上に互いに間隔をあけて立設され、複数の棚板１１を支持するとともに、上下方向Ｄｖに向けて延在される一対の側板１２、１２（支持体）と、一対の側板１２、１２の互いに対向する内面１２ａにそれぞれ着脱可能に掛止される支持ブラケット１３、１３と、を有している。
【００２４】
ここで、本実施の形態では、床面Ｆ上に床面Ｆに対して平行な一方向に配置される一対の側板１２，１２の離間方向を幅方向Ｄｈといい、上方から見た平面視で幅方向Ｄｈに直交する方向を前後方向Ｄｆという。また、前後方向Ｄｆにおいて、物品載置棚装置１に向かって手前側を前方、前側といい、その反対側を後方、後側という。
【００２５】
棚板１１は、幅方向Ｄｈに対向する一対の側板１２，１２のそれぞれに設けられた支持ブラケット１３、１３同士の間に架設されている。棚板１１は、図４及び図５に示すように、板面１１Ａと、板面１１Ａの外周縁から下方に延びる側枠１１Ｂと、を有している。ここで、棚板１１には、板面１１Ａと四方に配置される側枠１１Ｂによって囲まれて凹部１１ｂが形成され、この凹部１１ｂにコンセントユニット２の一部（上部分）が凹入された状態で配置される。なお、本実施の形態では、コンセントユニット２の上カバー２１（後述する）が棚板１１の凹部１１ｂ内に配置されている。
側枠１１Ｂの下端には、図５に示すように、幅方向Ｄｈの内側に向けて突出する当接面１１ａ（当接部）が形成され、さらに当接面１１ａの内端から上方に折り返されて鍵状に形成されている。
【００２６】
側板１２は、図２に示すように、前後方向Ｄｆの両端に上下方向Ｄｖに延びる一対の支柱材１２Ａ、１２Ａが設けられ、これら支柱材１２Ａ、１２Ａ同士の間が閉塞板１２Ｂによって塞がれた構成となっている。支柱材１２Ａの幅方向Ｄｈの内側の内面１２ａには、支柱材１２Ａの長さ方向のほぼ全体にわたって上下方向Ｄｖに一定の間隔をあけて四角形状に開口した掛止穴１２ｂが複数形成されている。これら掛止穴１２ｂは、支持ブラケット１３の一部（後述する掛止片１５）を掛止させるための開口穴であり、一方の支持ブラケット１３は前後方向Ｄｆに位置する一対の支柱材１２Ａ、１２Ａで同じ高さに配置される掛止穴１２ｂ、１２ｂを使って掛止されることで着脱自在に保持される。
【００２７】
図３、図４及び図５に示すように、支持ブラケット１３は、前後方向Ｄｆに延びるブラケット本体１４と、ブラケット本体１４における一方面をなす外面１４ａに設けられる掛止片１５と、ブラケット本体１４における他方面をなす内面１４ｂに設けられる棚板支持部１６と、を有している。
ブラケット本体１４は、平板状に形成され、板面方向を図２に示す側板１２に平行に向けた状態で支持ブラケット１３が側板１２に掛止される。
【００２８】
掛止片１５は、ブラケット本体１４の前後方向Ｄｆの両端側においてそれぞれ上下２箇所に設けられている。掛止片１５は、ブラケット本体１４の外面１４ａから下向きに突出した爪状の部材であり、側板１２に形成されている掛止穴１２ｂ（図２参照）に上方から差し込まれることにより掛止される。
【００２９】
棚板支持部１６は、ブラケット本体１４の下端から幅方向Ｄｈの内側に向けて突出する突出支持片１６Ａと、突出支持片１６Ａの内端部から上方に向かって延設された係止片１６Ｂと、を有している。
突出支持片１６Ａの上面において、図５に示すように、幅方向Ｄｈの外方部分１６ａには棚板１１の当接面１１ａが載置され、内方部分１６ｂにはコンセントユニット２のユニット係止部２４（後述する）が載置される。
突出支持片１６Ａ及び係止片１６Ｂは、図２及び図３に示すように、前後方向Ｄｆに沿って延在して設けられている。そのため、コンセントユニット２は、前後方向Ｄｆに延びる係止片１６Ｂの任意の位置に支持させることが可能となり、例えば図２において棚板１１の奥側（二点鎖線）の位置に配置することができる。
【００３０】
図２に示すように、コンセントユニット２は、長尺に形成され、長手方向を幅方向Ｄｈに向けた状態で、側板１２に掛止された支持ブラケット１３に支持される。図６及び図７に示すように、コンセントユニット２は、前面２３ａに電源コンセント２２が配設されたユニット本体２０と、ユニット本体２０の上方を覆う上カバー２１と、を備えている。そして、コンセントユニット２は、ユニット本体２０と上カバー２１とがねじ等によって一体的に組み合わされている（図８参照）。これらユニット本体２０及び上カバー２１によって囲まれた中空部Ｒには、電源コンセント２２に接続された配線ケーブル内蔵用の空間部が形成されている。
【００３１】
ユニット本体２０は、長手方向に平行な中心線で２つ折に折り曲げられたＬ型板２３Ａを有し、Ｌ型板２３Ａの一方の板面（前面２３ａ）に長手方向に間隔をあけて複数の電源コンセント２２が組み付けられている。Ｌ型板２３Ａの一対の上端縁には、長手方向の両端縁側に第１ねじ穴２３ｂが形成された取付け枠２３Ｂが接続されている。すなわち、電源コンセント２２が配置されるＬ型板２３Ａの前面２３ａは、コンセントユニット２が支持ブラケット１３に支持された状態で、斜め下を向いた姿勢で取り付けられることになる。
【００３２】
上カバー２１は、ユニット本体２０の上部開口を覆う部材であり、カバー本体２１Ａの長手方向に平行な両端縁のそれぞれに側枠２１Ｂが連設されている。上カバー２１には、長手方向の両端縁側に第２ねじ穴２１ａが形成されている。これら第２ねじ穴２１ａは、ユニット本体２０の第１ねじ穴２３ｂと同軸になるように配置されている。上カバー２１は、一対の側枠２１Ｂがユニット本体２０の一対の取付け枠２３Ｂの内側に嵌合された状態で、同軸に配置される双方のねじ穴２１ａ、２３ｂ同士に不図示のねじによって一体的に組み付けられる。
【００３３】
上カバー２１は、上カバー２１がユニット本体２０に組み付けられた状態で、上カバー２１の長手方向の両端部がユニット本体２０よりも張り出す長さに設定されている。
側枠２１Ｂの長さ方向の両端の張出し部分には、下向きに開口する切欠凹部２１ｂが形成され、図２及び図５に示すように、切欠凹部２１ｂより先端側に支持ブラケット１３の棚板支持部１６の係止片１６Ｂに係止されるユニット係止部２４が形成されている。切欠凹部２１ｂを棚板支持部１６の係止片１６Ｂに上方から嵌入させて係止させることで、ユニット係止部２４は棚板支持部１６の突出支持片１６Ａの上面における内方部分１６ｂに当接する。なお、ユニット係止部２４の下端は、突出支持片１６Ａの上面に当接せずに、上下方向に離間していてもよい。
【００３４】
コンセントユニット２の上端面（上カバー２１のカバー本体２１Ａ）は、図４に示すように、棚板１１の板面１１Ａの下面１１ｃに当接されている。ここで、図４では、棚板１１の下面１１ｃにマグネット１７を配置することで、コンセントユニット２の取り付け強度を高めるようにしている。なお、マグネット１７は、上カバー２１のカバー本体２１Ａの上面２１ｃに設けるようにしてもよい。
【００３５】
次に、上述した物品載置棚装置の作用について、図面に基づいて詳細に説明する。
図２に示すように、本実施の形態の構成によれば、前面に電源コンセント２２が配設されたコンセントユニット２を支持ブラケット１３の棚板支持部１６に対して装着させて配置することができる。この場合、側板１２の複数箇所に棚板支持部１６を設けておくといった簡単な構造により、棚板１１上に配置する電気機器４の使用状況に応じて任意の位置にコンセントユニット２を容易に配置することが可能であり、また電源が不要な箇所にはコンセントユニット２を取り外しておくことができる。
このように、コンセントユニット２を簡単に着脱できる構成となり、従来のように物品載置棚の棚板に予め電源コンセントを組み込んでおく必要がなくなることから、製造時に多数のコンセントの電源コードを配線するといった煩雑な作業が不要となり、コストの低減を図ることができる。
【００３６】
また、本実施の形態による物品載置棚装置１では、棚板支持部１６の突出支持片１６Ａ上に棚板１１の当接面１１ａとコンセントユニット２のユニット係止部２４の両方を載置させて支持することができる。このように棚板支持部１６が棚板１１の支持部とコンセントユニット２の支持部を共有化したものとなるので、支持部分の構造を簡単にすることができ、低コストな物品載置棚を実現することができる。そして、突出支持片１６Ａ上に載置された棚板１１の当接面１１ａとコンセントユニット２のユニット係止部２４とは、突出支持片１６Ａの内端部の係止片１６Ｂによって幅方向Ｄｈの移動が規制され、位置がずれたり、落下することがなく、安定した姿勢で支持される。
さらに、このような構成とすることで、棚板１１の当接面１１ａが突出支持片１６Ａ上の外方部分１６ａに配置され、その突出支持片１６Ａ上の内方部分１６ｂにコンセントユニット２のユニット係止部２４が載置されため、棚板１１がコンセントユニット２の上方を覆うように配置させることができる。そのため、コンセントユニット２が棚板１１の下に隠れて目立ちにくい配置となり、意匠性を向上させることができる。
【００３７】
また、本実施の形態では、コンセントユニット２の両端部のユニット係止部２４を棚板支持部１６の突出支持片１６Ａに係止させることで、コンセントユニット２を載置棚本体１０に対して安定的に支持することができる。
【００３８】
また、本実施の形態の物品載置棚装置１では、図４に示すように、コンセントユニット２を棚板１１の下面１１ｃに対して当接させることで、安定した姿勢により支持することができる。そのため、コンセントユニット２の電源コンセント２２に対して電気機器４の電源プラグ４１（図１参照）を抜き差しする際においても、電源コンセント２２が振れることを抑えることができ、使用時の安定感を向上させることができる。
【００３９】
また、本実施の形態の場合には、物品載置棚装置１にコンセントユニット２を配置した状態で、コンセントユニット２の少なくとも一部が棚板１１の凹部１１ｂ内に収容されてコンパクトに構成されるので、什器としての体裁を良好なものとすることができる。
【００４０】
また、本実施の形態では、側板１２の内面１２ａに掛止された支持ブラケット１３の棚板支持部１６に棚板１１およびコンセントユニット２を支持させることができる。そのため、側板１２の内面１２ａに直接、棚板支持部１６を設ける必要がなくなることから、支持体が簡単な構造となり、製造コストを低減することができる。
【００４１】
上述のように本実施の形態による物品載置棚装置では、簡単な構造により使用状況に合わせた位置に電源コンセント２２を容易に着脱することができ、什器としての導入コストの低減を図ることができる。
【００４２】
以上、本発明による物品載置棚装置の実施の形態について説明したが、本発明は上記の実施の形態に限定されるものではなく、その趣旨を逸脱しない範囲で適宜変更可能である。
【００４３】
例えば、本実施の形態では、側板１２を支持体としているが、このような構成の側板１２であることに制限されることはない。例えば、本実施の形態の側板１２は、一対の支柱材１２Ａ、１２Ａ間を閉塞板１２Ｂで塞ぐ構成となっているが、閉塞板１２Ｂを省略して支柱材１２Ａ、１２Ａのみの構成であってもよいし、全体が板状の支持体であってもかまわない。
【００４４】
また、コンセントユニット２の構成として、本実施の形態では、ユニット本体２０と上カバー２１とを一体に組み合わせているが、このような分割される構成に限定されることはなく、一体になったものでもよい。
そして、コンセントユニット２の形状、大きさ、長さ、及び配置される電源コンセント２２の配置数量などの構成も、棚板１１の形状や、載置棚本体１０の幅寸法等の構成に対応して適宜設定することができる。
【００４５】
さらに、本実施の形態では、支持ブラケット１３を設ける構成としているが、この支持ブラケット１３を省略するようにしてもよい。この場合には、直接、棚板支持部１６が側板１２の内面１２ａに取り付けられた構成とすることができる。
【００４６】
また、本実施の形態では、棚板１１の下面側に形成される凹部１１ｂ内にコンセントユニット２の一部が凹入された構成としているが、これに限定されることはなく、例えば凹部１１ｂに凹入されるコンセントユニット２の部位はいずれの部位であってもかまわない。さらに、棚板１１に凹部１１ｂが形成されないものでもよく、この場合にはコンセントユニット２の一部が棚板１１に凹入されない構造となる。
【００４７】
さらにまた、本実施の形態では棚板１１の下面１１ｃにコンセントユニット２をマグネット１７を介して当接させた構成としているが、当接せずに双方が上下方向Ｄｖに離間していてもよい。
【００４８】
また、載置棚本体１０の構成、例えば載置棚本体１０の大きさ、高さ、棚板１１の段数等の構成に関しては適宜設定される。
【００４９】
その他、本発明の趣旨を逸脱しない範囲で、上記した実施の形態における構成要素を周知の構成要素に置き換えることは適宜可能である。
【符号の説明】
【００５０】
１  物品載置棚装置
２  コンセントユニット
１０  載置棚本体
１１  棚板
１１ａ  当接面（当接部）
１２  側板（支持体）
１２ａ  内面
１３  支持ブラケット
１４  ブラケット本体
１５  掛止片
１６  棚板支持部
１６ａ  外方部分
１６ｂ  内方部分
１６Ａ  突出支持片
１６Ｂ  係止片
２０  ユニット本体
２１  上カバー
２１ｂ  切欠凹部
２２  電源コンセント
２３Ａ  Ｌ型板
２３ａ  前面
２４  ユニット係止部
Ｆ  床面
Ｒ  中空部
【図１】
2018166960.tif 000003
【図２】
2018166960.tif 000004
【図３】
2018166960.tif 000005
【図４】
2018166960.tif 000006
【図５】
2018166960.tif 000007
【図６】
2018166960.tif 000008
【図７】
2018166960.tif 000009
【図８】
2018166960.tif 000010